(57)【要約】【課題】作業の多様化及び効率化を図ることができる鍬及びへら状部材を提供する。【解決手段】長尺状の柄１０と、柄１０に取り付けられた刃床部２０と、刃床部２０に対して着脱可能に設けられたへら状部材３０とを備える。刃床部２０は、複数に分かれた歯２１を有している。へら状部材３０は、刃床部２０に対して柄１０の取り付け側から刃先に向かい、歯２１の長さの１／２以上４／５以下（５０％以上８０％以下）の位置まで歯間２３を覆うように設けられている。へら状部材３０で覆っていない刃床部２０の刃先で深く耕し、へら状部材３０で覆った部分で細かな土砂の畝上げや泥状の土のすくい上げをすることができる。【選択図】図２
0003157940.tif 000002
【実用新案登録請求の範囲】
【請求項１】
刃床部が複数に分かれた歯を有する鍬であって、
前記刃床部の柄の取り付け側から刃先に向かい、歯の長さの１／２以上４／５以下の位置まで歯間を覆うへら状部材が着脱可能に設けられたことを特徴とする鍬。
【請求項２】
前記へら状部材の刃先側端部は、歯間の中央部が歯の側部よりも柄の取り付け側に凹んでおり、歯の側部から歯間の中央部に向かい、少なくとも一部が、傾斜的に柄の取り付け側に位置する傾斜部を有することを特徴とする請求項１記載の鍬。
【請求項３】
刃床部が複数に分かれた歯を有する鍬に対して着脱可能に取り付けて用いるものであり、刃床部の柄の取り付け側から刃先に向かい、歯の長さの１／２以上４／５以下の位置まで歯間を覆うことを特徴とするへら状部材。
【請求項４】
刃先側端部は、前記刃床部の歯間に対応して、歯間の中央部が歯の側部よりも柄の取り付け側に凹んでおり、歯の側部から歯間の中央部に向かい、少なくとも一部が、傾斜的に柄の取り付け側に位置する傾斜部を有することを特徴とする請求項３記載のへら状部材。
【考案の詳細な説明】
【技術分野】
【０００１】
本考案は、刃床部が複数に分かれた歯を有する鍬及びそれに用いるへら状部材に関する。
【背景技術】
【０００２】
鍬は、スコップ等と異なり、立ち姿勢で作業することができ、腰にかかる負担が少ないので、耕起、除草、作物の収穫等に広く用いられている。中でも、刃床部が複数に分かれたいわゆる備中鍬は、深く耕したり、砕土・整地等の各種作業に適している。
【先行技術文献】
【特許文献】
【０００３】
【特許文献１】実開平６−３１５３０１号公報
【考案の概要】
【考案が解決しようとする課題】
【０００４】
しかしながら、刃床部が複数に分かれたいわゆる備中鍬は、細かな土砂の畝上げをしたり、泥状の土のすくい上げをする際には、長い歯の間から土砂が漏れてしまい、効率よく作業をすることができない。例えば、このような作業には、刃床部が長方形の鍬が適しているが、この鍬は深く耕す作業には適していない。よって、従来は、作業に応じて鍬を取り替えなければならず、面倒であり、効率も悪いという問題があった。
【０００５】
なお、特許文献１には、長方形の刃床部の先端部に、先端から１０％〜１５％程度の位置まで矩形状の凹部を設けた鍬が記載されているが、本願発明とは具体的な構成が異なっている。また、特許文献１に記載の鍬は、先端部に小さな凹部を設けただけなので、接触抵抗を多少は小さくできるものの、基本的な機能は刃床部が長方形の鍬と同じであり、深く耕すことは難しい。
【０００６】
本考案は、このような問題に基づきなされたものであり、作業の多様化及び効率化を図ることができる鍬及びへら状部材を提供することを目的とする。
【課題を解決するための手段】
【０００７】
本考案の鍬は、刃床部が複数に分かれた歯を有するものであって、刃床部の柄の取り付け側から刃先に向かい、歯の長さの１／２以上４／５以下の位置まで歯間を覆うへら状部材が着脱可能に設けられたものである。
【０００８】
本考案のへら状部材は、刃床部が複数に分かれた歯を有する鍬に対して着脱可能に取り付けて用いるものであり、刃床部の柄の取り付け側から刃先に向かい、歯の長さの１／２以上４／５以下の位置まで歯間を覆うものである。
【考案の効果】
【０００９】
本考案の鍬及びへら状部材によれば、複数に分かれた歯を有する刃床部に対して、柄の取り付け側から刃先に向かい、歯の長さの１／２以上４／５以下の位置まで歯間を覆うようにしたので、へら状部材で覆っていない刃先の部分で深く耕すことができると共に、へら状部材で覆った部分で細かな土砂の畝上げや泥状の土のすくい上げをすることができる。また、へら状部材を着脱可能としたので、へら状部材を取り外せばより深く耕すこともできる。よって、作業の多様化及び効率化を図ることができる。更に、刃床部とへら状部材とを別の部材としたので、へら状部材を刃床部よりも薄くしてステンレスなどの軽い材料で構成することができる。よって、鍬の重さが重くなることを抑制することができ、作業の負担を軽減することができる。
【００１０】
特に、へら状部材の刃先側端部は、歯間の中央部が歯の側部よりも柄の取り付け側に凹んでおり、歯の側部から歯間の中央部に向かい、少なくとも一部が、傾斜的に柄の取り付け側に位置する傾斜部を有するようにすれば、耕す際の抵抗を小さくすることができ、より容易に耕すことができる。
【図面の簡単な説明】
【００１１】
【図１】本考案の一実施の形態に係る鍬の構成を表す断面図である。
【図２】図１に示した刃床部及びへら状部材をＡ方向から見た構成図である。
【図３】図１に示した刃床部及びへら状部材をＢ方向から見た構成図である。
【考案を実施するための形態】
【００１２】
以下、本考案の実施の形態について、図面を参照して詳細に説明する。
【００１３】
図１は、本考案の一実施の形態に係る鍬１の断面構成を表すものである。この鍬１は、例えば、長尺状の柄１０と、この柄１０に取り付けられた刃床部２０と、この刃床部２０に対して着脱可能に設けられたへら状部材３０とを備えている。柄１０と刃床部２０との取り付け構造はどのようなものでもよく、風呂有でも風呂無しでもよい。
【００１４】
図２は、図１に示したＡ方向から見た刃床部２０及びへら状部材３０の構成を表すものであり、図３は、図１に示したＢ方向から見た刃床部２０及びへら状部材３０の構成を表わすものである。なお、図１は、図２に示したＣ−Ｃ線に沿った断面構造を表している。刃床部２０は、複数に分かれた歯２１を有している。歯２１は、柄１０の取り付け側において連結部２２により連結されている。図２及び図３では、歯２１が４本の場合を示したが、３本など他の本数でもよい。刃床部２０は、例えば、鋼又は鉄により構成されている。
【００１５】
へら状部材３０は、刃床部２０に対して柄１０の取り付け側から刃先に向かい、歯２１の長さＬの１／２以上４／５以下（５０％以上８０％以下）の位置まで歯間２３を覆うように設けられている。へら状部材３０で覆っていない刃床部２０の刃先の部分で深く耕し、へら状部材３０で覆った部分で細かな土砂の畝上げや泥状の土のすくい上げをすることができるようにするためである。へら状部材３０で覆う領域は、柄１０の取り付け側から刃先に向かい、歯２１の長さの３／５以上３／４以下（６０％以上７５％以下）の位置までの歯間２３とするようにすればより好ましく、歯２１の長さの６２％以上７０％以下の位置までの歯間２３とするようにすれば更に好ましい。
【００１６】
へら状部材３０の刃先側端部は、例えば、歯間２３の中央部が歯２１の側部よりも柄１０の取り付け側に凹んだ凹部３１を有していることが好ましく、凹部３１には、歯２１の側部から歯間２３の中央部に向かい、傾斜的に柄１０の取り付け側に位置する傾斜部３２が少なくとも一部に設けられていることが好ましい。土を耕す際の抵抗を小さくすることができるからである。例えば、図２及び図３に示したように、歯２１の側部から歯間２３の中央部に向かい直線的に傾斜部３２を形成し、三角形状の凹部３１を設けるようにすることが好ましい。
【００１７】
この場合、凹部３１において、歯間２３の中央部で両側の歯２１の側部に向かう一対の傾斜部３２のなす角度θは、１００度以下となるようにすることが好ましく、９０度以下となるようにすればより好ましい。抵抗をより小さくすることができるからである。更に、角度θは、５０度以上となるようにすれば好ましく、６０度以上となるようにすればより好ましい。あまり角度θを小さくすると、凹部３１の長さが長くなり、土をすくい上げる効果が小さくなってしまうからである。なお、へら状部材３０に凹部３１を設ける場合には、歯間２３における最も刃先側の刃先側端部が、柄１０の取り付け側から刃先に向かい、歯２１の長さＬの１／２以上４／５以下、より好ましくは３／５以上３／４以下、更に好ましくは６２％以上７０％以下の範囲内に位置するようにすることが好ましい。例えば、図２及び図３に示した例であれば、へら状部材３０において、歯２１の側部の刃先側端部が上述した範囲内に位置するようにすることが好ましい。
【００１８】
へら状部材３０は、例えば、刃床部２０の底面側、すなわち柄１０の伸長方向と反対側に対して設けられており、へら状部材３０の側部には、例えば、刃床部２０に対して取り付けるための取付部３３がそれぞれ設けられている。取付部３３は、へら状部材３０の側端部を刃床部２０の上面側、すなわち柄１０の伸長方向側に折り返し、端部の歯２１の一部を覆うように構成されている。取付部３３の上面側には、例えば、へら状部材３０を刃床部２０に対して固定するためのねじ３４が設けられている。このように構成すれば、必要に応じて、へら状部材３０を簡単に着脱することができ、用途に応じて使い分けることができるので好ましい。ねじ３４は、蝶ねじつまみのついたものが好ましい。容易に取り外しをすることができるからである。
【００１９】
なお、へら状部材３０は、例えば、ステンレスにより構成することが好ましく、厚みは、例えば、０．３ｍｍから０．７ｍｍ程度と薄くすることが好ましい。へら状部材３０の重さを軽くすることにより、鍬１の重さが重くなることを抑制し、作業の負担を軽減することができるからである。
【００２０】
この鍬１では、用途に応じて、刃床部２０にへら状部材３０を着脱して用いる。刃床部２０にへら状部材３０を取り付けた状態では、へら状部材３０で覆っていない刃床部２０の刃先で耕すと共に、へら状部材３０覆った部分で細かな土砂の畝上げや泥状の土のすくい上げを行う。また、より深く耕す必要がある場合には、刃床部２０からへら状部材３０を取り外して用いる。
【００２１】
このように本実施の形態によれば、複数に分かれた歯２１を有する刃床部２０に対して、柄１０の取り付け側から刃先に向かい、歯２１の長さＬの１／２以上４／５以下の位置まで歯間２３を覆うようにしたので、へら状部材３０で覆っていない刃先の部分で深く耕すことができると共に、へら状部材３０で覆った部分で細かな土砂の畝上げや泥状の土のすくい上げをすることができる。また、へら状部材３０を着脱可能としたので、へら状部材３０を取り外せばより深く耕すこともできる。よって、作業の多様化及び効率化を図ることができる。更に、刃床部２０とへら状部材３０とを別の部材としたので、へら状部材３０を刃床部２０よりも薄くしてステンレスなどの軽い材料で構成することができる。よって、鍬１の重さが重くなることを抑制することができ、作業の負担を軽減することができる。
【００２２】
特に、へら状部材３０の刃先側端部は、歯間２３の中央部が歯２１の側部よりも柄１０の取り付け側に凹んでおり、歯２１の側部から歯間２３の中央部に向かい、少なくとも一部が、傾斜的に柄１０の取り付け側に位置する傾斜部３２を有するようにすれば、耕す際の抵抗を小さくすることができ、より容易に耕すことができる。
【００２３】
以上、実施の形態を挙げて本考案を説明したが、本考案は上記実施の形態に限定されるものではなく、種々変形可能である。例えば、上記実施の形態では、へら状部材３０の凹部３１に直線的に傾斜部３２を形成する場合について具体的に説明したが、曲線状に傾斜部３２を設けるようにしてもよい。
【００２４】
また、上記実施の形態では、へら状部材３０の取付部３３について具体的に説明したが、他の取り付け構造を有するようにしてもよい。
【産業上の利用可能性】
【００２５】
鍬に用いることができる。
【符号の説明】
【００２６】
１…鍬、１０…柄、２０…刃床部、２１…歯、２２…連結部、２３…歯間、３０…へら状部材、３１…凹部、３２…傾斜部、３３…取付部、３４…ねじ
【図１】
0003157940.tif 000003
【図２】
0003157940.tif 000004
【図３】
0003157940.tif 000005